(57)【要約】      （修正有）【課題】タオルを首にかけて携帯する場合、結ぶことなく身体からずり落ちないように簡単に保持することができ、安全性のある、取外し可能留め具付タオルを提供する。【解決手段】吸水性とファッション性を併せ持つ布地を使ったタオル本体１の長手方向両端部近くのしぼり部分４に、一対の取外し可能留め具３をそれぞれ配設し、首にかけた状態で、双方の取外し可能留め具の着脱機能部分５を介して、着脱可能に環状に接合する。接合は、マグネット、面ファスナー、フック、ホック、ボタン、クリップ、粘着シートのいずれかを介して着脱可能とする。タオル本体を、片手で引っ張るだけで容易に外れると共に、外部からの牽引にも容易に外れる。【選択図】図１
0003213842.tif 000002
【実用新案登録請求の範囲】
【請求項１】
タオル本体の長手方向両端部近くに、一対の留め具を配設して、首にかけた状態で、前記留め具同士の接合により環状に形成し、身体からずり落ちることがなく着用できるタオルにおいて前記留め具同士の接合は、着脱可能であると共に、タオル本体を強い力で引いた時には、タオル本体から前記留め具が外れるか、前記留め具からタオル本体が抜けることを特徴とする取外し可能留め具付タオル。
【請求項２】
前記留め具は、マグネット、面ファスナー、フック、ホック、ボタン、クリップ、粘着シートのいずれかを介して、留め具同士が着脱可能に接合することを特徴とする請求項１記載の取外し可能留め具付タオル。
【請求項３】
前記留め具は、タオル本体から取外し可能で、留め具の位置を自在に変えることができることを特徴とする請求項１または、請求項２記載の取外し可能留め具付タオル。
【請求項４】
前記留め具は、蓄光及び蛍光素材を含むゴム及びシリコン、布、ビニール、革、プラスチック、金属、面ファスナーのいずれかの素材により、タオル本体の布地の長手方向両端部近くのしぼり部分に配設することを特徴とする請求項１から請求項３のいずれかに記載の取外し可能留め具付タオル。
【請求項５】
前記タオル本体は、吸水力の高いタオル生地あるいはガーゼからなり、長方形または、長手方向両端部近くが幅広く、長い変形三角形の形状を有することを特徴とする請求項１から請求項４のいずれかに記載の取外し可能留め具付タオル。
【請求項６】
前記タオル本体は、裏側に小物入れポケットを有することを特徴とする請求項１から請求項５のいずれかに記載の取外し可能留め具付タオル。
【請求項７】
前記タオル本体の長手方向両端部近くに輪状の紐をそれぞれ設け、前期留め具の一対にもそれぞれ輪状の紐を設け、双方の前記輪状の紐に、バネ付フックを介して紐またはゴム紐で繋げ、前記タオル本体と前記留め具が一体化することを特徴とする請求項１から請求項６のいずれかに記載の取外し可能留め具付タオル。
【考案の詳細な説明】
【技術分野】
【０００１】  この考案は、ジョギングなどの運動及び各種作業をする際、汗拭き及び手拭きなどのために、首にかけて携帯するタオルに関するものである。
【背景技術】
【０００２】  特許文献１には、タオルを首にかけて携帯する場合に、結ぶことなく落ちないように簡単に保持させることができる、差し込み口付きタオルが提案されている。
【先行技術文献】
【特許文献】
【０００３】
【特許文献１】特開２００３−４７５７１号公報
【考案の概要】
【考案が解決しようとする課題】
【０００４】  前記の先行技術文献のものによっても、首にかけたタオルが環状になり落ちない効果があったが、差し込み口に挿入した方のタオルの先端部付近を引っ張ると、環状のサイズが縮まる仕組みであるため、必要以上の牽引においては、首を絞めつけ危険が伴う。そのため幼児期や、学童期や、老年期や、障害を持つ人の集団活動などにおいての使用では、特別の注意が必要であった。【０００５】  即ち、この公知例の差し込み口付きタオルを、幅広い年齢の人や、障害を持つ人が使用する場合は、機能性と安全性においての改善が望まれる。【０００６】  この考案が解決しようとする課題は、使用者の年齢や使用条件を問わない便利な機能性と安全性及び、障害を持つ人にも使いやすく、さらに材料が安価で、構造が単純で、製造が容易なものを提供することである。
【課題を解決するための手段】
【０００７】  前記の課題を解決するための対応手段は以下の如くである。【０００８】  タオル本体の長手方向両端部近くに配設した取外し可能留め具同士が、着脱可能に環状に接合し、首にかけた状態で使用できる。また、片手で引くことで容易に外れ便利な上、安全である。【０００９】  前記の取外し可能留め具は、マグネット、面ファスナー、フック、ホック、ボタン、クリップ、粘着シートのいずれかにより、留め具同士が着脱可能に接合する。【００１０】  前記の取外し可能留め具は、タオル本体に配設しうるが、取外し可能な機能を有し、簡単に配設位置の移動ができる。【００１１】  前記の取外し可能留め具の本体は、蓄光及び蛍光素材を含むゴム、シリコン、布、ビニール、革、プラスチック、金属、面ファスナーのいずれかの素材からなり、タオル本体の布地をしぼって留め、またしぼり寸法の調整ができる。【００１２】  タオル本体は、吸水力の高いタオル生地またはガーゼなどからなる。【００１３】  前記のタオル本体は、長方形または、長手方向両端部近く付近が幅広く長い変形三角形の形状を有する。【００１４】  前記のタオル本体は、裏側に小物入れポケットを有する。【００１５】  前記のタオル本体と、取外し可能留め具は、バネ付フックの付いた紐またはゴム紐で繋がっているが、バネ付フックの付いた紐を外して使用することもできる。
【考案の効果】
【００１６】  この考案は、汗や手を拭くなどのためのスポーツタオル、フェイスタオル、マフラータオルを首にかけて運動や作業をする際、着脱可能な留め具の機能により首からずり落ちることが無く、また、風に煽られるなどして落下するのを、タオルに結び目を作らなくても防止でき、安心して心地よく活動に集中でき、尚且つ、容易に着脱できるので便利である。【００１７】  また、前記スポーツタオル、フェイスタオル、マフラータオルが、何かに引っかかるまたは、他者から前後左右に引っ張られ、身体維持に危険な牽引を受けた時、留め具同士の接合が外れるか、または、タオル本体から留め具が外れるか、留め具からタオル本体が抜けて外れるかの仕組みであるため、使用者の首への衝撃と心身のダメージが少なく安全である。【００１８】  使用者の首の太さや、運動および各種作業の使用条件などに合わせ、タオル本体上の取外し可能留め具の配設位置を任意に移動させて、首にかけた環状サイズを調整できる。【００１９】  また洗濯時は、タオル本体から取外し可能留め具を外し、タオル本体のみを洗濯することができるので、取外し可能留め具の傷みが少ない。【００２０】  取外し可能留め具は、使用条件や理由や好みに合わせ、ゴム等のさまざまな素材と、マグネットや面ファスナーやフック等の着脱可能な素材とを組み合わせて構成することができる。【００２１】  また蓄光及び蛍光素材の取外し可能留め具においては、夜間のジョギングなどの運動や、災害時の安全確認に有効に働く。また夜間のイベントなどでは、光の心理的効果で高揚感が得られ、士気と雰囲気が盛り上がる。【００２２】  タオル本体は、吸水力の高い布地でなり、多量の汗に対応できる。【００２３】  タオル本体の色柄と、留め具の色柄をコーディネートして、ファッション性を持たせ、各種の運動やスポーツ観戦及び応援グッズとしてや、登山、つり、キャンプなどのアウトドア活動や、テーマパークなどの娯楽での使用、また、イベントやコンサートの応援グッズなど、タオルが必要なさまざまな場面において、身体の動きや風により首からタオルがずり落ちない便利さと、おしゃれを楽しむことができる。【００２４】  また、建築作業や農作業などの屋内外での使用では、首にかけたタオルの落下や乱れにより作業に支障をきたすことが無く、作業効率の向上と安全性が得られ、見た目にも整った身なりになり好印象を与えることができる。【００２５】  タオル本体の裏側にある小物入れポケットは、保冷剤や、カイロや、携帯用ティッシュペーパーや、メモや、金銭や、鍵等が入り実用的である。【００２６】  タオル本体と、留め具が紐またはゴム紐で繋がっているので、タオル本体から留め具を外した時に、留め具が紛失しない。【００２７】  タオル本体を、鞄やリュックサックの持ち手や肩紐やベルトなどに通してかけたり、手すりや椅子などの棒状部分などにかける際は、留め具の機能によりタオル本体がずり落ちることがないので安定して保管でき便利である。【００２８】  以上のことにより、この考案は、年齢、性別、体格、障害などに関係なく、タオルを首にかけて運動や作業などの活動をする人々に、首にかけたタオルが身体の動きや、風に煽られるなどでずり落ちる心配がない快適性と���簡単に着脱できる利便性と安全性及びファッション性を提供できるものである。またそのことは、多くの人々がスポーツなどの活動を楽しく安心して行うことに繋がり、心と体の健康維持とユニバーサルデザインとして社会貢献になるものである。
【図面の簡単な説明】
【００２９】
【図１】本考案の実施例の使用形態の説明図
【図２】タオル本体の形状の説明図
【図３】取外し可能留め具が伸縮性の機能を備えたものの使用形態の説明図
【図４】取外し可能留め具がアジャスター機能を備えたものの使用形態の説明図
【図５】取外し可能留め具がばねの機能を備えたものの使用形態の説明図
【図６】取外し可能留め具にアジャスター機能が無い使用形態の説明図
【図７】タオル本体の裏面の使用形態の説明図
【考案を実施するための形態】
【００３０】  以下に、本考案の形態例を図面に基づいて説明する。
【００３１】  図１は、本考案の使用形態の基本構成であり、タオル本体１と、長手方向両端部近く２と、取外し可能留め具３と、しぼり部分４と、着脱機能部分５と、小物入れポケット８と、タオル本体の輪状の紐９と、取外し可能留め具の輪状の紐１５と、紐１６と、バネ付フック１７と、使用者１８と、鞄１９と、リュックサック２０からなる説明図である。
【００３２】  図１の（ａ）は、使用者１８がタオル本体１を首からさげて、胸元で取外し可能留め具３同士が接合している説明図である。
【００３３】  図１の（ｂ）の取外し可能留め具３の一対は、着脱機能部分５のマグネット、面ファスナー、フック、ホック、クリップ、ボタン、粘着シートのいずれかを介して、取外し可能留め具３同士が、着脱可能に接合できる。
【００３４】  タオル本体１は、長手方向両端部近く２のしぼり部分４に、一対の取外し可能留め具３をそれぞれ配設し、取外し可能留め具３同士の着脱機能部分５を介して着脱可能に接合し環状になる。
【００３５】  図１のタオル本体１に配設した一対の取外し可能留め具３同士の接合は、片手で引くことで容易に外れ脱着でき便利である。また、使用時に外部からの危険な強い牽引においては、前記脱着の他に、タオル本体１から取外し可能留め具３が外れることでの脱着及び、取外し可能留め具３からタオル本体１が抜けて外れることでの脱着があり、首への負担が少なく安全である。
【００３６】  また、取外し可能留め具３の素材に蓄光および蛍光の機能を設けることで、夜間のジョギングなどのスポーツや、災害時の安全確認などに有効である他、夜間のテーマパークや、コンサート会場などの娯楽で光を楽しむことができる。
【００３７】  取外し可能留め具３は、使用者の首の太さや使用理由などに合わせて、タオル本体１の長手方向両端部近く２の任意の位置に、取外し可能に配設することができる。したがって、都度、使用状況に合わせて取外し可能留め具３の位置が簡単に移動でき、首周りの環状サイズを調整できる。さらに洗濯の際は、取外し可能留め具３をタオル本体１から取外し、タオル本体１のみを洗濯することができるので、取外し可能留め具３の傷みが少ない。
【００３８】  図１の（ｃ）は、タオル本体１の長手方向両端部近く２の周辺の説明図である。タオル本体１の長手方向両端部近く２の周辺のタオル裏面７に、タオル本体の輪状の紐９を縫製などで結合し、取外し可能留め具３に取外し可能留め具の輪状の紐１５を縫製などで結合する。両端にバネ付フック１７の付いた任意の長さの紐１６を介して、タオル本体１と取外し可能留め具３が繋がり、取外し可能に一体化できるので、取外し可能留め具３を外した時の紛失防止に役立つ。
【００３９】  タオル本体の輪状の紐９に、紐１６に付いたバネ付フック１７を引っかけて繋ぎ、取外し可能留め具の輪状の紐１５に、紐１６に付いた反対側のバネ付フック１７を引っかけて繋げる。バネ付フック１７の付いた紐１６を介して、タオル本体１と、取外し可能留め具３を繋げて一体化する必要がない場合は、バネ付フック１７の付いた紐１６を使わなくてもよい。
【００４０】  タオル本体１に配設した一対の取外し可能留め具３は、使用者の使用条件によって、バネ付フック１７の付いた紐１６を使わず、片方のみを縫製などで取外し不可能にしたり、双方とも縫製などで取外し不可能にできることは、言うまでもない。
【００４１】  タオル本体１の布地は、吸水性の高いタオル地またはガーゼ等からなり、用途に合わせた色柄にしうる。また、取外し可能留め具３の色柄は、タオル本体１の色柄に合わせてコーディネートしうる。
【００４２】  図２は、タオル本体１のタオル表面６の形状の種類を示したものである。（ａ）は長方形のもの、（ｂ）は長手方向両端部近く２付近が幅広く長い形状の変形三角形である。しかし、用途やデザインによって、これらの形状に限定されないことは言うまでもない。
【００４３】  図３の（ａ）は、取外し可能留め具３の一対で、ゴムまたはシリコンのいずれかの伸縮性の機能を備えた素材で輪状に形成し、マグネット、面ファスナー、フック、ホック、ボタン、クリップ、粘着シートのいずれかの素材の着脱機能部分５を介して、取外し可能留め具３同士が着脱可能に接合する。また、ゴムやシリコンの周りに布等を巻くなどし、ゴムやシリコンを見えなくさせてもよい。
【００４４】  図３の（ｂ）は、取外し可能留め具３の一対で、ゴムまたはシリコンのいずれかの伸縮性の機能を備えた素材のサイズ違いの輪状を複数形成した形状で、マグネット、面ファスナー、フック、ホック、ボタン、クリップ、粘着シートのいずれかの素材の着脱機能部分５を介して、取外し可能留め具３同士が着脱可能に接合する。尚、その複数の輪状の中から選択することにより、タオル本体１のしぼり部分４の束ねる寸法を調節できる。
【００４５】  図４の（ａ）は、取外し可能留め具３の一対で、ゴム、シリコン、布、ビニール、革のいずれかの素材で、ギボシ１０とギボシ用穴を備えて形成し、マグネット、面ファスナー、フック、ホック、ボタン、クリップ、粘着シートのいずれかの素材の着脱機能部分５を介して、取外し可能め具３同士が着脱可能に接合する。尚、（ａ１）は、ギボシ１０にマグネット、面ファスナー、フック、ホック、ボタン、クリップ、粘着シートのいずれかの素材の着脱機能部分５を取り付けたもので、取外し可能留め具３の一対を真上から見た説明図である。
【００４６】  図４の（ｂ）は、取外し可能留め具３の一対で、ゴム、シリコン、布、ビニール、革のいずれかの素材で、バックルセット１１を備えて形成し、マグネット、面ファスナー、フック、ホック、ボタン、クリップ、粘着シートのいずれかの素材の着脱機能部分５を介して、取外し可能留め具３同士が着脱可能に接合する。
【００４７】  図４の（ｃ）は、取外し可能留め具３の一対で、ゴム、シリコン、布、ビニール、革のいずれかの素材で、アジャスター機能付バックル１２を備えて形成し、マグネット、面ファスナー、フック、ホック、ボタン、クリップ、粘着シートのいずれかの素材の着脱機能部分５を介して、取外し可能留め具３同士が着脱可能に接合する。
【００４８】  図４の（ｄ）は、取外し可能留め具３の一対で、面ファスナー１３の素材で形成し、マグネット、面ファスナー、フック、ホック、ボタン、クリップ、粘着シートのいずれかの素材の着脱機能部分５を介して、取外し可能留め具３同士が着脱可能に接合する。尚、取外し可能留め具３を面ファスナー１３の素材で形成したことにより、タオル本体１のしぼり部分４の束ねる寸法を自在に調整できる。
【００４９】  図５の（ａ）と（ｂ）は、取外し可能留め具３のそれぞれ一対で、プラスチックや金属のいずれかの素材で、ばね１４の機能を備えて形成し、マグネット、面ファスナー、フック、ホック、ボタン、クリップ、粘着シートのいずれかの素材の着脱機能部分５を介して、取外し可能留め具３同士が着脱可能に接合する。尚、ばね１４の機能により、タオル本体１の生地を挟み込んで配設できる。
【００５０】  図６は、取外し可能留め具３の一対で、プラスチックや金属のいずれかの素材で形成し、マグネット、面ファスナー、フック、ホック、ボタン、クリップ、粘着シートのいずれかの素材の着脱機能部分５を介して、取外し可能留め具３同士が着脱可能に接合する。尚、この取外し可能留め具３の一対は、主にタオル本体１での配設位置が、ほぼ限定している場合に用いるとよい。
【００５１】  図３、図４、図５、図６の説明図は、それぞれ同じ素材のもの同士が一対になっている取外し可能留め具３の使用形態であるが、違う素材の取外し可能留め具３同士を組み合わせて一対にしてもよい。
【００５２】  図７のタオル本体１のタオル裏面７においては、テッシュや、ミニ保冷剤や、ミニカイロや、メモや、小銭や、鍵などを入れるための、タオル本体１と同じ布あるいは、軽量な布または網で形成された小物入れポケット８を有する。尚、小物入れポケットが必要無い場合は、それに限らない。
【００５３】  本考案の取外し可能留め具付タオルの装着方法は、図１のタオル本体１の長手方向両端部近く２の端から布地を任意に残したしぼり部分４に、取外し可能留め具３の一対をそれぞれ配設し、タオル本体１を首にかけて、双方の取外し可能留め具３の着脱機能部分５同士を胸元または首元で着脱可能に接合させる。
【００５４】  尚、タオル本体１に配設した取外し可能留め具３の位置は、使用条件や好みなどに合わせて、都度、適切な位置に配設して使用する。
【００５５】  本考案の取外し可能留め具付タオルは、使用者１８が首にさげる他の携帯として、図１の（ｃ）の鞄１９や、リュックサック２０の持ち手２１などに、タオル本体１を通すまたはかけて使用することができる。また、手すりなどの棒状部分にかけて保管でき、人や物との接触や、風に煽られるなどでずり落ちることがない。
【００５６】
【符号の説明】
【００５７】１  タオル本体
２  長手方向両端部近く
３  取外し可能留め具
４  しぼり部分
５  着脱機能部分
６  タオル表面
７  タオル裏面
８  小物入れポケット
９  タオル本体の輪状の紐
１０  ギボシ
１１  バックルセット
１２  アジャスター機能付バックル
１３  面ファスナー
１４  ばね
１５  取外し可能留め具の輪状の紐
１６  紐
１７  バネ付フック
１８  使用者
１９  鞄
２０  リュックサック
２１  持ち手
【図１】
0003213842.tif 000003
【図２】
0003213842.tif 000004
【図３】
0003213842.tif 000005
【図４】
0003213842.tif 000006
【図５】
0003213842.tif 000007
【図６】
0003213842.tif 000008
【図７】
0003213842.tif 000009